(57)【特許請求の範囲】
【請求項１】
複数枚の記録紙で構成される記録紙束を包む表紙用の１枚の記録紙の同一面上に表表紙用の画像と裏表紙用の画像の２つの画像を形成可能な画像形成手段を有する画像処理装置であって、
前記表表紙用の画像と前記裏表紙用の画像を記憶手段に記憶させる手段と、
前記表紙用の１枚の記録紙の同一面上に表表紙用の画像と裏表紙用の画像の２つの画像を形成させる設定が、操作手段を介して操作者によりなされたか否かを判断する、判断手段と、
前記操作手段を介して前記設定がなされた場合に、前記表表紙用の画像と前記裏表紙用の画像の２つの画像を前記表紙用の１枚の記録紙の背表紙部分に該当する領域に形成させること無く、前記表紙用の１枚の記録紙の同一面上に同じ向きで前記２つの画像を前記画像形成手段により形成させる、制御手段と、を有することを特徴とする画像処理装置。
【請求項２】
前記記憶手段から前記表表紙用の画像と前記裏表紙用の画像の２つの画像を読み出す際にいずれか一方の画像の読み出し終了から所定時間経過した後に他方の画像の読み出しを開始させることを特徴とする請求項１記載の画像処理装置。
【請求項３】
原稿を読み取る読取手段により読み取った原稿の画像を前記記憶手段に記憶させることを特徴とする請求項１又は２記載の画像処理装置。
【請求項４】
２枚の原稿からそれぞれ別々に読み取った２つの原稿画像を、前記表表紙用の画像と前記裏表紙用の画像として、前記表紙用の１枚の記録紙の同一面上に、形成させることを特徴とする請求項１乃至３の何れかに記載の画像処理装置。
【請求項５】
前記表表紙用の画像と前記裏表紙用の画像を１枚の原稿から読み取って前記表紙用の１枚の記録紙の同一面上に形成させることを特徴とする請求項１乃至４の何れかに記載の画像処理装置。
【請求項６】
２枚の原稿からそれぞれ別々に読み取った２つの原稿画像を前記表表紙用の画像と前記裏表紙用の画像として前記表紙用の１枚の記録紙の同一面上に形成させる第１の設定と、前記表表紙用の画像と前記裏表紙用の画像を１枚の原稿から読み取って前記表紙用の１枚の記録紙の同一面上に形成させる第２の設定を、前記操作手段を介して操作者により選択的に実行可能にする、ことを特徴とする請求項１乃至５の何れかに記載の画像処理装置。
【請求項７】
複数枚の記録紙で構成される記録紙束を包む表紙用の１枚の記録紙の同一面上に表表紙用の画像と裏表紙用の画像の２つの画像を形成可能な画像形成手段を有する画像処理装置の為の画像処理方法であって、
前記表表紙用の画像と前記裏表紙用の画像を記憶手段に記憶させるステップと、
前記表紙用の１枚の記録紙の同一面上に表表紙用の画像と裏表紙用の画像の２つの画像を形成させる設定が、操作手段を介して操作者によりなされたか否かを判断する、ステップと、
前記操作手段を介して前記設定がなされた場合に、前記表表紙用の画像と前記裏表紙用の画像の２つの画像を前記表紙用の１枚の記録紙の背表紙部分に該当する領域に形成させること無く、前記表紙用の１枚の記録紙の同一面上に同じ向きで前記２つの画像を前記画像形成手段により形成させる、ステップと、を有することを特徴とする画像処理方法。
【請求項８】
前記記憶手段から前記表表紙用の画像と前記裏表紙用の画像の２つの画像を読み出す際にいずれか一方の画像の読み出し終了から所定時間経過した後に他方の画像の読み出しを開始させることを特徴とする請求項７記載の画像処理方法。
【請求項９】
原稿を読み取る読取手段により読み取った原稿の画像を前記記憶手段に記憶させることを特徴とする請求項７又は８記載の画像処理方法。
【請求項１０】
２枚の原稿からそれぞれ別々に読み取った２つの原稿画像を、前記表表紙用の画像と前記裏表紙用の画像として、前記表紙用の１枚の記録紙の同一面上に、形成させることを特徴とする請求項７乃至９の何れかに記載の画像処理方法。
【請求項１１】
前記表表紙用の画像と前記裏表紙用の画像を１枚の原稿から読み取って前記表紙用の１枚の記録紙の同一面上に形成させることを特徴とする請求項７乃至１０の何れかに記載の画像処理方法。
【請求項１２】
２枚の原稿からそれぞれ別々に読み取った２つの原稿画像を前記表表紙用の画像と前記裏表紙用の画像として前記表紙用の１枚の記録紙の同一面上に形成させる第１の設定と、前記表表紙用の画像と前記裏表紙用の画像を１枚の原稿から読み取って前記表紙用の１枚の記録紙の同一面上に形成させる第２の設定を、前記操作手段を介して操作者により選択的に実行可能にする、ことを特徴とする請求項７乃至１１の何れかに記載の画像処理方法。
【発明の詳細な説明】
【０００１】
【発明の属する技術分野】
本発明は、表表紙画像及び裏表紙画像を画像形成装置へ出力する画像処理装置及び画像処理方法に関する。
【０００２】
【従来の技術】
従来、原稿を読み取り、読み取った画像を画像メモリに一旦記憶し、記憶した画像を記録用紙上に形成する複写装置が知られている。この種の複写装置には、複写装置の原稿台上に本が見開き状態で載置して複写を行ったときに生じる見開き状態の中央部及び周囲の影が複写されないように、その中央部及び周囲をマスキングして複写するブック枠消しモードが備えられている。
【０００３】
ところで、重ねた複数枚のA4サイズの用紙を、A3伸びサイズ（A3サイズの長手方向のサイズが数十mm大きいサイズ）の用紙で包んで表紙とすることがある。この表紙とすべきA3伸びサイズの用紙に画像を複写する場合に、通常の複写を行なうと背表紙に相当する部分にも画像が複写されてしまって見栄えが悪い。そこで、従来の複写装置が持っているブック枠消しモードを利用すれば用紙の中央部分が複写されないので、背表紙部分に画像が複写されないようにできることもある。
【０００４】
【発明が解決しようとする課題】
しかしながら、ブック枠消しモードでは中央部分をマスキングしてしまうため、図19の(a)のように原稿の中央部分に画像があった場合、図19の(b)のように原稿画像が一部欠落してしまうという問題が生じる。
【０００５】
【課題を解決するための手段】
上記課題を解決するために、本発明は、数枚の記録紙で構成される記録紙束を包む表紙用の１枚の記録紙の同一面上に表表紙用の画像と裏表紙用の画像の２つの画像を形成可能な画像形成手段を有する画像処理装置であって、前記表表紙用の画像と前記裏表紙用の画像を記憶手段に記憶させる手段と、前記表紙用の１枚の記録紙の同一面上に表表紙用の画像と裏表紙用の画像の２つの画像を形成させる設定が、操作手段を介して操作者によりなされたか否かを判断する、判断手段と、前記操作手段を介して前記設定がなされた場合に、前記表表紙用の画像と前記裏表紙用の画像の２つの画像を前記表紙用の１枚の記録紙の背表紙部分に該当する領域に形成させること無く、前記表紙用の１枚の記録紙の同一面上に同じ向きで前記２つの画像を前記画像形成手段により形成させる、制御手段と、を有することを特徴とする画像処理装置を提供するものである。
【０００６】
【発明の実施の形態】
以下、図面を参照しながら本発明の実施の形態を詳細に説明する。
【０００７】
（第1の実施の形態）
〔画像処理装置概要説明〕
図1は本発明に係る画像処理装置の第1の実施の形態の外観図である。
【０００８】
101は原稿台ガラスであり、読み取られるべき原稿102が載置される。原稿102は、照明103からの照射光を受け、反射光がミラー104， 105，106を経て、光学系107によりCCDを備えた画像読み取り部108上に結像する。さらに、ミラー104、照明103を含むミラーユニット110はモータ109により機械的に速度Vで駆動され、ミラー105， 106を含むミラーユニット111は同様に速度1／2Vで駆動され、原稿102の全面が走査される。これ以降、両ミラーユニットが駆動される矢印方向を副走査方向（もしくはライン方向）とし、この駆動方向にほぼ直交する方向を主走査方向（もしくは画素方向）とする。
【０００９】
112は画像処理回路部であり、画像読み取り部108で読み取られた画像情報を電気信号として各種の処理を施し、プリント信号として出力する。113〜116は各色（Bk，Y，C，M）用の半導体レーザであり、画像処理回路部112より出力されたプリント信号により駆動される。
【００１０】
それぞれの半導体レーザによって発光された各レーザ光は、ポリゴンミラー117〜120によって、それぞれ所定距離離間して配設された感光ドラム125〜128上にそれぞれの溶像を形成する。121，122，123，124は、それぞれブラック（Bk），イエロー（Y），シアン（C），マゼンタ（M）のトナーによって潜像を現像して可視像化するための現像器であり、現像された各色のトナーは用紙に転写され、フルカラー画像のプリントアウトがなされる。
【００１１】
寸法の異なる用紙を給紙する用紙カセット129〜131、及び手差しトレイ132のいずれかより給紙された用紙は、レジストローラ133を経て転写ベルト134上に吸着され、所定の搬送経路上を所定速度で搬送される。予め各感光ドラム125〜128には、用紙の搬送に同期して各色のトナーが現像されており、搬送により用紙上にトナーが転写されるようになっている。
【００１２】
用紙カセット129にはA4サイズの用紙が、用紙カセット130にはA3サイズの用紙が、用紙カセット131には、長手方向のサイズがA3の長手方向のサイズよりも数十mm長く、短手方向のサイズがA3の短手方向のサイズと同じである用紙がセットされているものとする。
【００１３】
背表紙モードの際には、表紙に相当する画像をコピーするときには用紙カセット131からA3よりも数十mm長い用紙を給紙し、表紙以外の頁に相当する画像をコピーするときには用紙カセット129からA4の用紙を給紙する。
【００１４】
各色のトナーが転写された用紙は、分離／搬送され、定着器135によって用紙にトナーが定着された後、排紙トレイ136に排紙される。
【００１５】
〔画像処理部の構成〕
図2と図3は図1の画像読み取り部108から画像処理部112における画像信号の流れを詳細に説明するためのブロック図である。
【００１６】
200はそれぞれレッド（R），グリーン（G），ブルー（B）のカラーフィルタを備えたCCDイメージセンサ（以下、CCD）であり、各CCD出力はA／D＆S／H部201でアナログ増幅器により増幅され、A／D変換器によりディジタル信号に変換出力される。R、G信号はそれぞれディレイメモリによって３つのCCDの空間的ずれが補正されて出力される。
【００１７】
A/D&S/H部201からの出力信号はシェーディング補正部202によってシェーディング補正を受け、さらに入カマスキング部203でNTSC系のRGB信号に変換される。204は変倍処理部であり、特に拡大コピー時に画像信号を主走査方向に変倍する。副走査方向には、ミラーユニット110の駆動速度Vを制御することによって変倍する。変倍処理部204を経た画像信号は、LOG変換部205により、原色RGB信号から補色CMY信号へと変換される。
【００１８】
206は色空間変換部であり、CMY信号を明度信号Lと色度信号a及びbに変換するものである。ここでL，a，b信号はCIEで国際標準としてL，a，b空間として規定される色度成分を表す信号である。
【００１９】
207は符号化器であり、明度情報であるL信号を4×4の画素ブロック単位で符号化し、その符号L_codeを出力する。また、色度情報のa，b信号を4×4の画素ブロック単位で符号化し、その符号ab_codeを出力する。
【００２０】
一方、208は黒画素検出回路208aと文字領域検出回路208bを含む特徴抽出部であり、黒判定信号K_codeを出力して注目画素が黒信号であるかどうかを判定する。すなわち、黒画素検出回路208aによって4×4の画素ブロック内が黒画素エリアであるか否かを判定し、さらに、文字領域検出回路208bにより当該画素エリアが文字領域であるか否かを判定し、文字領域であった場合、K_code信号を“1”とし、それ以外は“0”とする。
【００２１】
217は画像メモリであり、明度情報の符号であるL_code信号、色度情報の符号であるab_code信号、特徴抽出部208による判定出力結果の符号であるK_code信号を格納する。これらの各符号の画像メモリ217へのライト及びリードは、アドレスコントローラ218及びデータコントローラ219によって制御される。
【００２２】
220はデータ処理部であり、データコントローラ219からの明度情報、色度情報、および黒判定信号に所定のデータ処理を施す。この処理については、図4を参照して後述する。
【００２３】
225は変倍処理部であり、特に縮小コピー時に画像信号を主走査方向に変倍する。副走査方向への変倍は、ミラーユニット110の駆動速度Vを制御することによって行う。変倍処理部204,225には、同一回路を用いても良い。その際はトライステートのゲート回路を用いて、CPU240が変倍モ―ドによって出力するゲートを制御するようにする。
【００２４】
226はガンマ補正部であり、出力装置の特性によってC，M，Y，Kの各色データを補正する。そして、エッジ強調部227によりC，M，Y，Kデータに対しスムージングフィルタ、もしくはエッジ強調フィルタをかけ、プリンタ装置に出力画像データとして出力する。
【００２５】
区間信号生成部230は、主走査区間信号WLE，RLEと副走査区間信号WPEを生成するとともに、プリンタ装置より送られてくる副走査区間信号MPE，CPE，YPE，KPEを2つの画像区間に分離された区間信号MPE1，CPE1，YPE1，KPE1に加工して出力している。図2と図3に示した各画像処理部は、これらの区間信号により出力を制御される。
【００２６】
図3はデータ処理部220の詳細なブロック図である。211a（同様にして211b，211c，211d）は復号化器であり、画像メモリ217より読み出されたL_code信号により明度情報L信号を復号し、ab_codeによって色度情報a信号及びb信号を復号する。
【００２７】
212a（同様にして212b，212c，212d）は色空間変換部であり、復号化されたL，a，b信号をトナー現像色であるマゼンタ（M），シアン（C），イエロー（Y），ブラック（Bk）の各成分へ変換する。
【００２８】
213a（同様にして213b，213c，213d）はマスキング／UCR部である。
【００２９】
214a（同様にして214b，214c，214d）はフィルタ処理判定部であり、符号化された画像コードによってその画像ブロックのフィルタリング処理のON／OFFを決定して、ON／OFF判定信号を後述の各フィルタ処理部に送る。
【００３０】
215a（同様にして215b，215c，215d）はフィルタ処理部であり、これにより、復号化されたL，a，b信号に対して、フィルタ処理判定部214（214a〜214d）の判定結果（ON／OFF判定信号）により、選択的に空間フィルタを施して画像補正を行う。なお、各復号化器211a〜211dにより復号化部を構成し、各フィルタ処理部215a〜215dにより空間フィルタ部を構成する。
【００３１】
〔装置タイミングチャート〕
図4と図5は本実施の形態におけるタイミングチャートである。図4において（A）のSTART信号は、本実施の形態における原稿読み取り動作開始を示す信号である。（B）のWPE信号は、CCDを有するイメージスキャナが原稿を読み取り、符号化処理及びメモリライトを行う区間を示す信号である。（C）のITOP信号はプリント動作の開始を示す信号であり、（D）のMPE信号はマゼンタ半導体レーザ116（図1参照）の駆動区間を示す信号である。（E）のCPE信号はシアン半導体レーザ115（図1参照）の駆動区間を示す信号であり、（F）のYPE信号はイエロー半導体レーザ114（図1参照）の駆動区間を示す信号であり、（G）のBPE信号はブラック半導体レーザ113（図1参照）の駆動区間を示す信号である。
【００３２】
図4に示す様に、CPE信号、YPE信号、BPE信号はそれぞれMPE信号に対してt1，t2，t3だけ遅延されており、これは図1の各感光ドラム125〜128間の距離dl，d2，d3に対し、t1＝d1／v，t2＝d2／v，t3＝d3／v（ただし、vは図1の搬送経路上での用紙の搬送速度）なる関係を持つように制御される。また、（H）のHSYNC信号は主走査の同期をとるための主走査同期信号である。
【００３３】
図5は図4の時間軸を拡大して本形態における主走査区間を詳細に示すタイミングチャートである。図5において（A）及び（C）は図4（H）のHSYNC信号と同一信号であり、それぞれ時間軸が異なる。（D）のクロック信号（CLK）は記録画素の同期をとる画素同期信号である。（B）のYPHS信号は2ビットの副走査カウンタのカウント値であり、（E）のXPHS信号は2ビットの主走査カウンタのカウント値である。
【００３４】
WLE信号、RLE信号は、それぞれ1HSYNC信号区間内でイメージスキャナから画像信号が入力されてくる、有効画像区間を表す主走査区間信号である。
【００３５】
図5（B）、（E）の両PHS信号は、図6に示すインバータ601，2ビットカウンタ602および603による回路によって、START信号（図4（A））とHSYNC信号とCLK信号から生成される。
【００３６】
〔画像メモリ部の構成〕
図2において画像メモリ部210は、画像メモリ217，アドレスコントローラ218，データコントローラ219で構成される。
【００３７】
図7乃至図9はアドレスコントローラ218の内部構成を示すブロック図である。アドレスコントローラ218は、大略して、主走査アドレス発生部（XCOUNTER）723と、副走査アドレス発生部（YCOUNTER）724と、アドレスセレクト部（ADR SEL）725と、メモリ制御信号生成部（RCCON）726とに分けられる。
【００３８】
本形態における画像メモリ217としては、例えばDRAMを用いることができる。DRAMのアクセスは、ROWアドレスとCOLUMNアドレスの2つのアドレスとそれぞれのストローブ信号（RAS，CAS）、そしてイネーブル信号（WE）により制御される。本形態における画像処理装置は、400dpiの解像度で、主走査方向最大297mm、副走査方向最大432mmの画像を画像メモリ217に記憶させておくことが可能である。したがって、両走査方向のアドレス発生部723，724ともその大きさのメモリ空間にアクセスできるように、13ビットのアドレスカウンタ（以下、主走査カウンタ、副走査カウンタと記す）になっている。
【００３９】
図7において、区間信号生成部230（図2）よりバッファ707を通じて入力された主走査区間信号WLE，RLEは、F／F713によって1クロック（CK）分遅延する。遅延した信号は、図8の主走査アドレス発生部723に入力される。また、同様にバッファ706より入力された副走査区閤信号WPE，MPE，CPE，YPEの各信号はF／F712によって1クロック分遅延する。
【００４０】
遅延した信号は、図8の副走査アドレス発生部724に入力される。これらの各区間信号LE，PEが“H”の時、有効画像区間であることを表す。
【００４１】
図7においてADDEC718は、CPU240からバッファ700，701，702，703，704，705を介し、ADR，DATA，XCS，RD，WR，RSTの各信号を受け取り、図示しない各レジスタヘのライト／リードを行う。
【００４２】
また、図6に示した回路よりバッファ708，709を通して入力されたXPHS信号、YPHS信号は、F／F714，715によって1クロック（CK）分遅延する。遅延した信号は、図8と図9の各回路に入力される。同様に、バッファ710を通して入力された後述のHS信号は、F／F716，721によって所定時間遅延し、ANDゲート722を介して図8の主走査アドレス発生部723と副走査アドレス発生部724に入力される。さらに、バッファ711を通じて入力されたCLK信号と、このCLK信号を反転バッファ717を通して反転したXCLK信号が、図8と図9の各回路に入力される。
【００４３】
主走査アドレス発生部723には、前記した各区間信号LE）の他に、主走査の位相を表すXPHS信号、カウンタの諸設定を行うWR0，2，4，6，8，A，Cが入力される。この主走査アドレス発生部723からは、DRAMへの主走査ライトアドレス（XAW）とDRAMからの主走査リードアドレス（XAR）とが出力される。
【００４４】
図10と図11は副走査カウンタ724内部の詳細なブロック図である。副走査カウンタ724は、ライト用（W）のYカウンタ1002と、M，C，Y，Kそれぞれのリード用（R0，R1，R2，R3）のYカウンタ1003〜1006を有する構成とされている。1000，1001は、WRY12，WRY26の2つのレジスタに設定される値によって、これらの5つのYカウンタ1002〜1006のイネーブル制御を行う。
【００４５】
図12は、副走査カウンタ724内のリード用およびライト用の各Yカウンタの構成を詳細に示すブロック図である。PEは、各Yカウンタに入力される副走査区間信号であり、F／F1200によって6クロック分遅延されて、F／F1203のCK端子とF／F1204のD端子に入力される。F／F1203には、F／F1200からの出力が“L”から“H”に遷移するときに内部状態の反転が入力される。このF／F1203のPR端子にはCPU240からポート信号PRESETが入力されており、CPU240により任意にプリセットすることが可能になっている。F／F1203の出力信号は、2T01セレクタ1205のセレクト端子に入力されている。
【００４６】
2T01セレクタ1205のA入力端子にはレジスタWROが、B端子入力にはレジスタWR1がセットされていて、いずれか一方が13ビットのアドレスカウンタ1207のロード値WRに選択的に入力される。通常のコピー動作では、WR0，WR1とも同じ値をセットするが、後述の背表紙モードで動作する時には、WRO，WR1にそれぞれ異なる値をセットする。
【００４７】
F／F1204の反転出力とF／F1200からの出力とをNANDゲート1206を通し、アドレスカウンタ1207のLD端子に入力する。この構成により、区間信号PEがイネーブル状態になった瞬間に、アドレスカウンタ1207にロードがかかる。
【００４８】
また、主走査同期信号（HSYNC）より生成されたHS信号をインバータ1202で反転した信号と主走査区間信号ENとをオアゲート1208でORした信号が、アドレスカウンタ1207のイネーブル端子（ENB）に入力される。
【００４９】
アドレスカウンタ1207は、HS信号に同期したある主走査一区間でEN信号にしたがった回数分カウント動作を行う。アドレスカウンタ1207に入力されるWR3はアップカウント／ダウンカウント切り替え信号であり、“L”の時はアドレスカウンタ1207はアップカウントし、“H”の時はダウンカウントする。
【００５０】
図10と図11中の5つのYカウンタ1002〜1005のそれぞれのYカウンタ出力は、YAW0，YAR1，YAR2，YAR3，YAR4で示され、図9に示したアドレスセレクト部725に入力される。
【００５１】
そして、主走査・副走査の位相に合わせて、アドレスセレクト部725により5つのYカウンタ出力YAWO，YAR1，YAR2，YAR3，YAR4の切り替え制御を行い、4つのアドレス信号AO〜A3として出カバッファ729〜732を介し外部の画像メモリ217（図2）に出力される。
【００５２】
一方、RCCON726では、DRAMのアクセスに必要なWE，RAS，CASの各ストローブ
信号と、データコントローラ219のI/Oポートを制御するDIR信号を生成する。
【００５３】
RCCON726で生成されたRAS，CAS，WEの各信号は、ディレイライン727，728及び出カバッファ733〜735を経由して図2の画像メモリ217に出力される。ディレイライン727，728は、コントロールすべき画像メモリの特性に従って、データのアクセスがうまく行えるようにRAS，CAS両信号のタイミング調整を行っている。同様に生成されたWE信号は、出力バッファ735を経由して図2の画像メモリ217に出力される。また、同様に生成されたDIR信号は、出カバッファ736を経由して図2のデータコントローラ219に出力される。
【００５４】
アドレスコントローラ218から出力されたこれらのアドレス信号及びメモリ制御信号に従って、データコントローラ219と画像メモリ217間で画像データの受け渡しが行われる。データコントローラ219において、データライトとデータリードの切り替えや、復号化に必要な画像データの水増し処理、画像回転等の編集処理を行うときにデータアクセスの順番の制御などが行われた後、画像データはデータ処理部220内の前述の復号化部に渡される。
【００５５】
〔背表紙モードの動作〕
図13は本実施形態における背表紙モードのフローチャートである。まず、ステップS1で操作者が図示されない操作部により、背表紙モードを選択しているかどうかの判断を行う。背表紙モードが選択されていない場合は、ステップS7に進んで通常モードでコピーを行って終了する。一方、背表紙モードが選択された場合は、ステップS2で操作者に原稿サイズと出力する記録用紙サイズの指定を要求する。
【００５６】
そして、操作者が原稿サイズ、記録用紙サイズ（本形態ではA3よりも数十mm長い用紙サイズ）の指定を終えると、ＣＰＵ240は、表表紙、裏表紙それぞれのライトアドレススタート値をアドレスコントローラ218内部のライトアドレスをカウントするＹカウンタ1002のレジスタWR0、WR1にセットする。画像メモリの先頭番地から画像を記憶するので、表表紙のライトスタートアドレスは0でありWROには0000hをセットする。
【００５７】
背表紙モードの場合、画像メモリ217を2分割してバンク切り替えを行う。裏表紙のライトアドレススタート値は、432mmの1／2、すなわち216mmに相当する値である。本形態では、画像メモリ217ヘの画像データの入出力は4×4画素単位で行われるので、裏表紙のライトアドレススタート値は、216mmに相当する画素数の1／4の値であり、その値をセットする。同様に、リードアドレスをカウントするＹカウンタ1003〜1006のレジスタWR0、1にはＹカウンタ1002のWR0、1と同じ値がセットされる。
【００５８】
アドレスの設定が終わると、ステップS3でまず表表紙の原稿読み取りを行うが、読み取り前にアドレスコントローラ218には、CPU240からコントローラ内部のF／F1203に“L”レベルの信号が送られてきて、F／F1203をプリセットしておく。これによってF／F1203の出力は“L”となり、書き込みの副走査区間信号WPEが“H”になった瞬間、アドレスカウンタ1207にはWROの値がロードされ、表表紙原稿は0番地からメモリヘの書き込みが行われることとなる。
【００５９】
次にステップS4で裏表紙の原稿を読み取る。原稿読み取りのための書き込みの副走査区間信号が“H”になると、今度はF／F1203の出力が反転して“H”になり、アドレスカウンタ1207にはWR1の値がロードされる。こうして、裏表紙原稿は216mm分の画素数の1／4のアドレスから書き込まれる。
【００６０】
原稿の読み取りが終了すると、今度はステップS5でプリンタ装置に出力するためのリード区間信号の設定が行われる。プリンタ装置より送られてくる各色の副走査区間信号は、用紙サイズの長さだけ“H”になる信号である。区間信号生成部230はプリンタ装置から入力された副走査区間信号を、表表紙のリード区間と裏表紙のリード区間が非連続となる画像区間信号に加工して各画像処理部に出力する。
【００６１】
図14は、プリンタからの副走査区間信号に基づいて区間信号生成部230により生成される各区間信号を示すタイミングチャートである。図14において（A）のMPE，CPE，YPE，KPEは、プリンタより区間信号生成部230に送られてくる副走査区間信号で、用紙サイズの長さに相当する時間だけ“H”となっている。MPE1，CPE1，YPE1，KPE1は区間信号生成部230出力の副走査区間信号であり、（B）に示す通常コピーモードの時は、内部遅延時間△T分ディレイしてから“H”に立ち上がり、原稿サイズの長さに相当する時間“H”状態を保持する。
【００６２】
しかし、（C）に示す背表紙モードの時の副走査区間信号出力は、表表紙画像形成区間分の長さだけ“H”が続いた後に一旦“L”に落ちる。そして、予め決められた背表紙幅に相当する時間（余白区間）だけ“L”状態を保持した後、再び“H”になる。そして裏表紙原稿サイズの長さに相当する時間（裏表紙画像形成区間）“H”を出力した後、“L”になる。したがって、原稿読み取り時同様にCPU240でF／F1203をプリセットしてから画像出力を開始すると、表表紙の副走査区間を示す1回目の“H”への立ち上がり時にはWROにセットされた値が表表紙アドレスとしてロードされ、裏表紙区間を示す2回目の“H”への立上り時にはWR1にセットされた値が裏表紙アドレスとしてロードされる。
【００６３】
このような制御により、画像メモリ内に格納された表表紙画像及び裏表紙画像の画像形成の際に、従来技術のような画像の欠落を生じさせることなく、表表紙画像と裏表紙画像の間に背表紙のための余白を設けた状態で画像形成することが可能となる。図17の(A)は表表紙原稿、裏表紙原稿であり、図17の(B)は背表紙モードでこれらの原稿がコピーされた出力結果である。
【００６４】
（第2の実施形態）
第1の実施形態では、表表紙の画像と裏表紙の画像の読み取りを別々に行っていたが、1枚の原稿を2分割してそれぞれを記録用紙の表表紙と裏表紙の画像にする時には、原稿サイズに応じて裏表紙のアドレススタート値を原稿サイズの半分の値に設定するようにして、原稿の読み取りを1スキャンで行うようにしてもよい。
【００６５】
図15は第2の実施形態における背表紙モードのフローチャートである。まず、ステップS11で操作者が図示されない操作部により、背表紙モードを選択しているかどうかの判断を行う。背表紙モードが選択されていない場合は、ステップS16に進んで通常モードでコピーを行って終了する。一方、背表紙モードが選択された場合は、ステップS12で操作者に原稿サイズと出力する記録用紙サイズの指定を要求する。
【００６６】
次に、表表紙、裏表紙それぞれのライトアドレススタート値をアドレスコントローラ218内部のライトアドレスをカウントするＹカウンタ502のレジスタWRO、WR1にセットする。リードアドレスをカウントするＹカウンタ1003〜1006のレジスタWR0、1にはそれぞれ0000hをセットする。
【００６７】
アドレスの設定が終わると、ステップS13で原稿読み取りを行う。ステップS14以降の処理は第1の実施形態と同様である。
【００６８】
このような制御により、画像メモリ内に格納された表表紙画像及び裏表紙画像の画像形成の際に、従来技術のような画像の欠落を生じさせることなく、表表紙画像と裏表紙画像の間に背表紙のための余白を設けた状態で画像形成することが可能となる。図18の(A)は表紙原稿であり、図18の(B)は背表紙モードでこの原稿がコピーされた出力結果である。
【００６９】
（第3の実施形態）
第1の実施形態では、表表紙の画像と裏表紙の画像の読み取りを別々に行い、第2の実施形態では原稿の読み取りを1スキャンで行うようにしていたが、これらを使い分けられるよう操作者が設定できるようにしてもよい。
【００７０】
図16は第3の実施形態のフローチャートである。まず、ステップS21で操作者が図示されない操作部により、背表紙モードを選択しているかどうかの判断を行う。背表紙モードが選択されていない場合はステップS31に進み、第1の実施形態のステップS7と同様の処理を行う。背表紙モードが選択された場合は、ステップS22で操作者へ原稿サイズと出力する記録紙サイズの指定を要求する。
【００７１】
次に、ステップS23で表表紙の画像と裏表紙の画像が載った1枚の原稿から表紙を作成するモードを操作者が設定したか、表表紙原稿、裏表紙原稿の2枚の原稿から表紙を作成するモードを操作者が設定したかを判別する。
【００７２】
操作者が1枚の原稿から表紙を作成するモードを選択した場合は、ステップS24以降の処理へ進む。これは第2の実施形態と同じである。また、2枚の原稿から表紙を作成するモードを選択された場合は、ステップS26へ進む。これは第1の実施形態と同じである。
【００７３】
（第4の実施形態）
本発明は以上に示した実施形態に限り適用されるものではない。第1〜第3の実施形態では、副走査の区間信号を2つの画像区間信号に加工していたが、副走査の区間信号はそのままで、主走査の区間信号を加工しても構わない。この場合は、先の実施形態で述べた副走査のアドレスコントローラの制御を全て主走査のアドレスコントロールに適用するような構成にすればよい。
【００７４】
【発明の効果】
以上説明したように請求項１記載の本発明によれば、複数枚の記録紙で構成される記録紙束を包む表紙用の１枚の記録紙の同一面上に表表紙用の画像と裏表紙用の画像の２つの画像を形成可能な画像形成手段を有する画像処理装置であって、前記表表紙用の画像と前記裏表紙用の画像を記憶手段に記憶させる手段と、前記表紙用の１枚の記録紙の同一面上に表表紙用の画像と裏表紙用の画像の２つの画像を形成させる設定が、操作手段を介して操作者によりなされたか否かを判断する、判断手段と、前記操作手段を介して前記設定がなされた場合に、前記表表紙用の画像と前記裏表紙用の画像の２つの画像を前記表紙用の１枚の記録紙の背表紙部分に該当する領域に形成させること無く、前記表紙用の１枚の記録紙の同一面上に同じ向きで前記２つの画像を前記画像形成手段により形成させる、制御手段と、を有することを特徴とする画像処理装置を提供し、請求項７記載の本発明によれば、複数枚の記録紙で構成される記録紙束を包む表紙用の１枚の記録紙の同一面上に表表紙用の画像と裏表紙用の画像の２つの画像を形成可能な画像形成手段を有する画像処理装置の為の画像処理方法であって、前記表表紙用の画像と前記裏表紙用の画像を記憶手段に記憶させるステップと、前記表紙用の１枚の記録紙の同一面上に表表紙用の画像と裏表紙用の画像の２つの画像を形成させる設定が、操作手段を介して操作者によりなされたか否かを判断する、ステップと、前記操作手段を介して前記設定がなされた場合に、前記表表紙用の画像と前記裏表紙用の画像の２つの画像を前記表紙用の１枚の記録紙の背表紙部分に該当する領域に形成させること無く、前記表紙用の１枚の記録紙の同一面上に同じ向きで前記２つの画像を前記画像形成手段により形成させる、ステップと、を有することを特徴とする画像処理方法を提供するので、前記表表紙用の画像と前記裏表紙用の画像のいずれの画像も欠落させずに前記表表紙用の画像と前記裏表紙用の画像の２つの画像が前記表紙用の１枚の記録紙の同一面上に同じ向きで形成された出力結果を前記画像処理装置により容易に得ることが可能になる。
【図面の簡単な説明】
【図１】本発明に係る画像処理装置の第１の実施の形態の外観図である。
【図２】画像処理部における画像信号の流れを詳細に説明するためのブロック図である。
【図３】画像処理部における画像信号の流れを詳細に説明するためのブロック図である。
【図４】第１の実施の形態におけるタイミングチャートである。
【図５】時間軸を拡大して第１の実施の形態における主走査区間を詳細に示すタイミングチャートである。
【図６】ＸＰＨＳ，ＹＰＨＳ信号の発生回路を示す回路図である。
【図７】第１の実施の形態におけるアドレスカウンタの全体ブロック図である。
【図８】第１の実施の形態におけるアドレスカウンタの全体ブロック図である。
【図９】第１の実施の形態におけるアドレスカウンタの全体ブロック図である。
【図１０】第１の実施の形態における副走査カウンタの詳細なブロック図である。
【図１１】第１の実施の形態における副走査カウンタの詳細なブロック図である。
【図１２】第１の実施の形態における副走査カウンタ内の各Ｙカウンタの構成を詳細に示すブロック図である。
【図１３】第１の実施の形態における背表紙モードのフローチャートである。
【図１４】区間信号生成部により生成される区間信号のタイミングチャートである。
【図１５】第２の実施の形態における背表紙モードのフローチャートである。
【図１６】第３の実施の形態における背表紙モードのフローチャートである。
【図１７】第１の実施の形態における背表紙モードでコピーされた出力結果を示す図である。
【図１８】第２の実施の形態における背表紙モードでコピーされた出力結果を示す図である。
【図１９】従来の複写装置のブック枠消しモードでコピーされた出力結果を示す図である。
【符号の説明】
２００  ＣＣＤイメージセンサ
２０１  Ａ／Ｄ＆Ｓ／Ｈ部
２０２  シェーディング補正部
２０３  入カマスキング部
２０４，２２５変倍処理部
２０６  色空間変換部
２０７  符号化器
２０８  特徴抽出部
２１７  画像メモリ
２１８  アドレスコントローラ
２１９  データコントローラ
２２０  データ処理部
２２６  ガンマ補正部
２２７  エッジ強調部
２３０  区間信号生成部
２４０  ＣＰＵ
【図１】
0003935257.tif 000002
【図２】
0003935257.tif 000003
【図３】
0003935257.tif 000004
【図４】
0003935257.tif 000005
【図５】
0003935257.tif 000006
【図６】
0003935257.tif 000007
【図７】
0003935257.tif 000008
【図８】
0003935257.tif 000009
【図９】
0003935257.tif 000010
【図１０】
0003935257.tif 000011
【図１１】
0003935257.tif 000012
【図１２】
0003935257.tif 000013
【図１３】
0003935257.tif 000014
【図１４】
0003935257.tif 000015
【図１５】
0003935257.tif 000016
【図１６】
0003935257.tif 000017
【図１７】
0003935257.tif 000018
【図１８】
0003935257.tif 000019
【図１９】
0003935257.tif 000020